(57)【要約】【課題】高速かつ確実に最適な緊急放送を実施する放送局を緊急警報放送受信の待機局として自動的に設定する緊急警報放送受信機を提供する。【解決手段】制御手段１１は、受信地域自動検索制御手段１２により、第１のメモリ１３手段を用いて受信地域を自動的に検索し、当該地域における掃引対象を第２のメモリ手段１４により該受信地域の緊急放送を実施する放送局に絞り、受信レベル検出手段７によりその中で最も大きな受信レベルが得られた放送局を自動的に選択し緊急警報放送受信の待機局とする。【選択図】図１
2005192064.tif 000002
【特許請求の範囲】
【請求項１】
ＰＬＬ方式によるデジタル選局方式を用い、所望の放送受信周波信号を周波数変換して中間周波信号を出力するチューナ部と、
前記中間周波信号からもとの音声帯信号に復元させる音声復調部と、
前記放送受信周波信号が所定の受信レベル以上の場合、続いて受信周波数が所定の範囲か否かを検出する同調検出手段と、
前記放送受信周波信号の信号強度に応じた信号を出力する受信レベル検出手段と、
複数の地域毎に当該地域における複数の放送局周波数が予め記憶された第１のメモリ手段と、
前記第１のメモリ手段に記憶された当該地域における複数の放送局周波数を順次掃引し、その都度放送局周波数信号が存在するか否かを前記同調検出手段により検出し、複数の放送局周波数信号が全て存在する受信地域を選択して、当該地域を確定する受信地域自動検索制御手段と、
前記複数の地域毎に当該地域における複数の緊急警報放送を実施する放送局周波数が予め記憶された第２のメモリ手段と、
前記緊急放送を実施する放送局から送出される緊急警報放送の開始信号および終了信号をデコードする緊急警報放送受信検出手段とを有し、
前記受信地域自動検索制御手段により受信地域を確定した後、続いて前記第２のメモリ手段に記憶された当該受信地域の複数の緊急放送実施放送局周波数を順次掃引し、その都度緊急放送を実施する放送局周波数信号が存在するか否かを前記同調検出手段により検出し、存在した場合は受信信号の信号強度を前記受信レベル検出手段により検出し、掃引終了後最も大きな受信レベルが得られた緊急放送を実施する放送局を緊急警報放送受信の待機局とし、前記緊急警報放送検出手段により前記緊急警報放送の待機状態を続けることを特徴とする緊急警報放送受信機。
【発明の詳細な説明】
【技術分野】
【０００１】
本発明は、緊急警報放送受信の待機局設定が容易な緊急警報放送受信機に関するものである。
【背景技術】
【０００２】
近年、大規模地震や津波などに関する緊急警報をラジオ放送を通じて行うシステムが確立され、この緊急放送の受信機能を組み込んだ緊急警報放送受信機が知られている。この緊急警報放送はすべてのＮＨＫラジオ放送局および一部の民間放送局が実施可能である。従来、緊急警報放送受信機における緊急警報放送受信の待機局設定は、ユーザーが手動で設定するか、または特許文献１の請求項１〜６のような受信地域設定ができる機能が緊急警報放送受信機に組み込まれていれば、受信地域番号をスイッチで設定した後、手動でＮＨＫの放送局に設定する等の方法により、手動で行われていた。
【０００３】
また、待機局設定を容易に行う緊急警報放送受信機として、全国のＮＨＫ放送局を掃引し自動的に規定の信号レベル以上のＮＨＫ放送局を待ち受けるものが知られている（例えば、特許文献２参照。）。
【特許文献１】特許第２８９３０２６号公報
【特許文献２】特開平９−８６０７号公報
【発明の開示】
【発明が解決しようとする課題】
【０００４】
このように、従来においては、緊急警報放送を実施する放送局を手動で設定するか、上記特許文献１の請求項７〜請求項１１のような受信地域設定が自動でできる技術を用いれば、地域の設定は自動でできるが、その地域において緊急警報放送を実施する放送局には手動で設定しなければならなかった。
【０００５】
また、上記の特許文献２のような緊急警報放送受信機においては、待機局設定には全国に存在するＮＨＫ放送局を掃引する必要があり、待機動作を開始するまでに長い時間が要求される、という問題点があった。
【０００６】
本発明は、より高速かつ確実に、最適な緊急警報放送を実施する放送局を緊急警報放送受信の待機局として自動的に設定する緊急警報放送受信機を提供することを目的としてなされたものである。
【課題を解決するための手段】
【０００７】
この課題を解決するために本発明の緊急警報放送受信機は、受信地域自動検索制御手段を用いて現在の受信地域を確定することにより掃引対象を該受信地域の緊急警報放送を実施する放送局に絞る。そして受信レベル検出手段により、その中で最も大きな信号レベルが得られた緊急警報放送を実施する放送局を自動的に選択し緊急警報放送受信の待機局とする。
【０００８】
より詳しくは、ＰＬＬ方式によるデジタル選局方式を用い、所望の放送受信周波信号を周波数変換して中間周波信号を出力するチューナ部と、前記中間周波信号からもとの音声帯信号に復元させる音声復調部と、前記放送受信周波信号が所定の受信レベル以上の場合、続いて受信周波数が所定の範囲か否かを検出する同調検出手段と、前記放送受信周波信号の信号強度に応じた信号を出力する受信レベル検出手段と、複数の地域毎に当該地域における複数の放送局周波数が予め記憶された第１のメモリ手段と、上記第１のメモリ手段に記憶された当該地域における複数の放送局周波数を順次掃引し、その都度放送局周波数信号が存在するか否かを前記同調検出手段により検出し、複数の放送局周波数信号が全て存在する受信地域を選択して、当該地域を確定する受信地域自動検索制御手段と、前記複数の地域毎に当該地域における複数の緊急警報放送を実施する放送局周波数が予め記憶された第２のメモリ手段と、前記緊急警報放送を実施する放送局から送出される緊急警報放送の開始信号および終了信号をデコードする緊急警報放送受信検出手段とを有し、前記受信地域自動検索制御手段により受信地域を確定した後、続いて前記第２のメモリ手段に記憶された当該受信地域の複数の緊急放送を実施する放送局周波数を順次掃引し、その都度緊急放送を実施する放送局周波数信号が存在するか否かを前記同調検出手段により検出し、存在した場合は受信信号の信号強度を前記受信レベル検出手段により検出し、掃引終了後最も大きな受信レベルが得られた緊急放送を実施する放送局を緊急警報放送受信の待機局とし、前記緊急警報放送検出手段により前記緊急警報放送の待機状態を続けることを特徴とする緊急警報放送の受信機である。
【発明の効果】
【０００９】
上記の構成によって、受信機が存在する地域の緊急警報放送を実施する放送局を、より高速かつ確実に緊急警報放送受信の待機局として自動的に設定できるという効果がある。
【発明を実施するための最良の形態】
【００１０】
以下本発明の一実施形態について、図面を用いて説明する。図１は本発明の一実施形態における緊急警報放送受信機の構成を示すブロック図、図２は同じくその動作の一例を示すフローチャートである。図１において、緊急警報受信機は、アンテナ１により受信された放送波信号がチューナ部２に供給されて、所望の放送受信周波信号が中間周波信号に周波数変換される。そして、この中間周波信号は音声復調部３に供給されて音声周波数信号に復調され、音声周波数信号は音声出力部４に供給され、図示しないスピーカやイヤホンによって聴取できる。
【００１１】
チューナ部２は、ＰＬＬ方式によるデジタル選局方式が用いられ、制御手段１１および受信地域自動検索制御手段１２は、操作手段１５の操作により、周波数設定手段５を介して、その受信周波数を任意に変更できるようにされている。
【００１２】
チューナ部２には、受信した所望の放送受信周波信号が所定の受信レベル以上の場合に、続いて受信周波数が所定の範囲か否かを検出する同調検出手段６と、その放送受信周波信号の信号強度に応じた信号を出力する受信レベル検出手段７が接続され、制御手段１１および受信地域自動検索制御手段１２はそれらの検出結果を得ることができるようにされている。
【００１３】
音声復調部３からの音声帯信号出力は、緊急警報放送受信検出手段８へも供給されている。緊急警報放送受信検出手段８は、ＦＳＫ変調された緊急警報放送の開始信号および終了信号を検出し、制御手段１１はその検出結果を得ることができるようにされている。緊急警報放送の開始信号や終了信号は特許文献２に詳記されていて公知のものであり、説明を省略する。
【００１４】
第１のメモリ手段１３には、複数の地域毎に当該地域における複数の放送局周波数が、また第２のメモリ手段１４には、受信地域自動検索制御手段１２により確定される複数の地域毎に当該地域における、緊急放送を実施する放送局として複数のＮＨＫ放送局周波数が、それぞれ予め記憶されており、制御手段１１および受信地域自動検索制御手段１２によって読み出しができるようにされている。
【００１５】
以上のように構成された本実施形態の緊急警報放送受信機について、以下図２を用いてその動作を説明する。まずステップ１０１において、受信地域自動検索制御手段１２により、第１のメモリ手段１３に記憶された複数の地域ごとのそれぞれ複数の放送局周波数を順次掃引し、その都度放送局周波数信号が存在するか否かを同調検出手段６により検出し、第１のメモリ手段１３に記憶された複数の放送局周波数信号が全て存在する受信地域を選択して、緊急警報放送受信機の現在の受信地域を確定する。この受信地域自動検索制御手段１２の一例として、特許文献１の請求項７〜１１に記載された技術を用いることができる。
【００１６】
続いて、確定された緊急警報放送受信機の現在の受信地域（以降、確定受信地域と記す）内のＮＨＫ放送局の掃引を行う。ここで、第２のメモリ手段１４に予め記憶されているＮＨＫ放送局周波数のうち、確定受信地域内のＮＨＫ放送局の周波数の数をＮｍａｘとする。
【００１７】
ステップ１１１において、変数Ｎを１にリセットし、ステップ１１２へ移行する。ステップ１１２において、変数Ｌmaxを最小値min（例えば０）にリセットし、ステップ１１３に移行する。
【００１８】
ステップ１１３において、第２のメモリ手段１４に予め記憶されている確定受信地域のＮ番目のＮＨＫ放送局周波数Ｆ（Ｎ）を読み出して、該周波数の選局を行い、ステップ１１４へ移行する。ステップ１１４において、選局後ある一定時間後に、同調検出手段６により受信周波数が所定の範囲か否かの検出結果を得る。得られた検出結果が所定の範囲の場合ステップ１１５へ、そうでない場合はステップ１１９へ移行する。
【００１９】
ステップ１１５において、受信レベル検出手段７により選局したＮＨＫ放送局の受信レベルＬ（Ｎ）を取得し、ステップ１１６へ移行する。ステップ１１６において、取得した受信レベルＬ（Ｎ）と、変数Ｌｍａｘを比較する。Ｌ（Ｎ）の方が大である場合はステップ１１７へ、そうでない場合はステップ１１９へ移行する。
【００２０】
ステップ１１７において、変数ＬｍａｘにＬ（Ｎ）を代入し、ステップ１１８へ移行する。ステップ１１８において、変数ＦｅｍｇにＦ（Ｎ）を代入し、ステップ１１９へ移行する。
【００２１】
ステップ１１９において、変数ＮがＮｍａｘと等しいかどうかを判定する。等しい場合はステップ１２１へ、等しくない場合はステップ１２０へ移行する。ステップ１２０において、変数Ｎを１だけインクリメントし、ステップ１１３へ移行する。
【００２２】
ステップ１１１，１１９および１２０の動作により、ステップ１１３〜１１９の動作は、第２のメモリ手段１４に予め記憶されている、確定受信地域のＮＨＫ放送局周波数の数だけ繰り返され、確定受信地域内の全ＮＨＫ放送局に対して選局および受信レベル取得が行われることになる。そしてステップ１２１に移行したときには、確定受信地域内の全ＮＨＫ放送局のうち最も受信レベルが大きい放送局の周波数が、変数Ｆｅｍｇに格納されている。
【００２３】
そしてステップ１２１において、緊急警報放送受信の待機局として周波数Ｆｅｍｇを選局し、ステップ１２２へ移行する。ステップ１２２において、緊急警報放送受信検出手段８を有効とし、緊急警報放送受信の待機を開始する。この緊急警報放送受信待機時に緊急警報放送受信検出手段８によりＦＳＫ変調された緊急警報放送の開始信号を受信すれば、緊急警報放送を受信することができる。
【００２４】
以上により自動的に待機局として選択されたＮＨＫ放送局は、緊急警報放送受信機の存在する地域の放送局であり、かつ、その中でも最も強い受信レベルを得られる放送波であり、緊急警報放送受信の待機局として最適な放送局であることが保証されるため、緊急警報放送の実施時には確実にそれを聞くことができる。
【００２５】
また、掃引するＮＨＫ放送局が確定受信地域の放送局に限定されるため、より高速に待機局設定が行われることとなる。
【００２６】
以上のように本実施形態によれば、ユーザーに受信地域を意識させることなく、緊急警報放送受信機が、より高速かつ確実に、最適なＮＨＫ放送局を緊急警報放送受信の待機局として自動的に設定することとなる。
【００２７】
なお、ここでは、緊急放送を実施する放送局として第２のメモリ手段１４にはＮＨＫの放送局のみを記憶するものとして説明したが、その地域において緊急警報放送を実施する民間放送局があれば、それも記憶して差し支えない。
【００２８】
さらに、緊急警報放送のシステムは、特許文献２に示されているものに限らず、類似のシステムであれば対応できるものである。
【産業上の利用可能性】
【００２９】
以上のように本発明の緊急警報放送受信機によれば、ユーザーに受信地域を意識させることなく、緊急警報放送受信機が、より高速かつ確実に、最適な緊急放送を実施する放送局を緊急警報放送受信の待機局として自動的に設定することができるという有利な効果が得られる。
【図面の簡単な説明】
【００３０】
【図１】本発明の一実施の形態における緊急警報放送受信機の構成を示すブロック図
【図２】同じくその動作の一例を示すフローチャート
【符号の説明】
【００３１】
１    アンテナ
２    チューナ部
３    音声復調部
４    音声出力部
５    周波数設定手段
６    同調検出手段
７    受信レベル検出手段
８    緊急警報放送受信検出手段
１１    制御手段
１２    受信地域自動検索制御手段
１３    第１のメモリ手段
１４    第２のメモリ手段
１５    操作手段
【図１】
2005192064.tif 000003
【図２】
2005192064.tif 000004